(57)【要約】【課題】汚圧力変動が発生してしまうことを抑制することができるバイオハザード対策室や再生医療設備などの部屋において出入口を形成する壁パネル間に設けられたエアタイト又はセミエアタイトなドアユニットを提供する。【解決手段】ドア閉時におけるドア端面１６ａとドア枠１８との隙間の幅ｄを壁パネル１２ｂの厚みＤ以上になるようする。【選択図】  図１
2010070981.tif 000002
【特許請求の範囲】
【請求項１】
壁パネル間に設けられたドアユニットであって、
第１壁パネルの側縁に取り付けたヒンジを介して回動することで出入口を開閉するドアと、
前記ヒンジが取り付けられていない第２壁パネルの側縁に設けられ、前記ドアの閉時に該ドアが押し当る部位があるドア枠と、から成り、
前記ドア閉時における前記ドア端面と前記第２壁パネルの側縁との隙間の幅が、該第２壁パネルの厚み以上に形成されていることを特徴とするドアユニット。
【請求項２】
前記押し当る部位には、前記ドア閉時における前記ドアと該ドア枠との密閉性を確保するためのパッキンが設けられていることを特徴とする請求項１に記載のドアユニット。
【発明の詳細な説明】
【技術分野】
【０００１】
本発明は、バイオクリーンルーム、再生医療設備、動物実験飼育設備などの部屋の室圧制御を行っているエアタイト又はセミエアタイトなドアユニットに関する。
【背景技術】
【０００２】
バイオクリーンルーム、再生医療設備、動物実験飼育設備などでは、隣接する部屋間に圧力差をつけ、隣接する部屋からの微生物の進入を防止したり、部屋内の病原体が隣接する部屋に流出しないようにしている。
【０００３】
そこで、特許文献１では、部屋内の圧力を設定圧力に維持するために、圧力センサ、室圧コントローラ、ダンパを備えた部屋のドアに開閉を検知するセンサを設けることが開示されている。
【０００４】
また、特許文献２では、細胞調製室内の空気を物理的に封じ込めるために、細胞調製室のエアーロック前室とエアーロック後室を備えて、それぞれの室内に圧力差をつけることが開示されている。
【０００５】
これらの部屋のドアには、ドアの隙間からの空気の漏洩が少ないエアタイトドアやセミエアタイトドアと呼ばれるものが利用される。
【０００６】
図５は、バイオクリーンルーム、再生医療設備、動物実験飼育設備などの室圧制御を行っているエアタイト又はセミエアタイトな部屋１を示したものである。部屋１のドア２は、壁パネル４の側縁に取り付けたヒンジ３を介して回動することで開閉する。そして、ドア枠５が、ヒンジが取り付けられていない側の壁パネル４に設けられている。
【０００７】
ドア２の開閉に伴い、部屋１内はドア２により空気の押し込み６と、ドア２と壁パネル４との隙間からの空気の流出７が発生する。ここで、ドア２による空気の押し込み量と、ドア２と壁パネル４との隙間からの空気の流出量とが釣り合えば、部屋の圧力は一定である。しかしながら、ドア２の開度が小さい領域では、ドア２と壁パネル４との隙間を空気が流出する際の流動抵抗が大きく、ドア２による押し込み量よりも隙間からの流出量は小さくなり、部屋１の圧力は上昇する。ここで、図４は、ドア２を押して開ける場合を示しているが、引いて開ける場合では逆に圧力が低下する。
【０００８】
図６は、ドアの開度とドアの隙間を通過する空気７の抵抗係数との関係を示したものである。尚、ドアの開度は、ドアの回転角（ｄｅｇ）で示している。図６のグラフは、抵抗係数の変化に注目して、ドアの開度によって３つの領域Ａ，Ｂ，Ｃに分けることができる。領域Ａはドアの開度が０〜０．５°の範囲で、ドア２がドア枠５に接触している状況から離れるまでの間である。抵抗係数はドア枠５とドアとの隙間によって決まる。領域Ｂはドアの開度が０．５〜３°の範囲で、ドア枠５内でドア端面２ａが動いている場合である。ドア枠５とドア端面２ａの隙間で抵抗係数が決まる領域であり、この領域での抵抗係数は概ね一定に保たれている。領域Ｃはドアの開度が３°以上の範囲で、ドア端面２ａがドア枠５外にあり、ドアの開度に応じてドアの開口面積が広がる領域である。この領域では、ドアの開口面積が広いため、ドアの抵抗係数は非常に小さく、ドアを動かしても部屋の圧力は殆ど変動しない。
【特許文献１】特開昭６３−２４７５４２号公報
【特許文献２】特開２００６−２２３２０７号公報
【発明の開示】
【発明が解決しようとする課題】
【０００９】
このように、図５に示したドアをエアタイトドアやセミエアタイトドアとして用いると、ドア開閉時には上述の通りドアの流動抵抗があるため、瞬間的に大きな圧力変動が発生してしまうという問題があった。この圧力変動は、部屋の大きさやドアの開閉速度にも依存するが、小さい部屋では５０Ｐａ以上の圧力変動となる。このような圧力変動は、再生医療設備、動物実験飼育設備などの重圧制御を行っている部屋のコンタミネーションの発生を増大するものであり、低減が求められている。
【００１０】
本発明は、このような事情に鑑みてなされたもので、圧力変動が発生してしまうことを抑制することができるバイオハザード対策室や再生医療設備などのエアタイト又はセミエアタイトなドアユニットを提供することを目的とする。
【課題を解決するための手段】
【００１１】
請求項１に係る発明は、前記目的を達成するために、壁パネル間に設けられたドアユニットであって、第１壁パネルの側縁に取り付けたヒンジを介して回動することで出入口を開閉するドアと、前記ヒンジが取り付けられていない第２壁パネルの側縁に設けられ、前記ドアの閉時に該ドアが押し当る部位があるドア枠と、から成り、前記ドア閉時における前記ドア端面と前記第２壁パネルの側縁との隙間の幅が、該第２壁パネルの厚み以上に形成されていることを特徴とする。
【００１２】
請求項１によれば、ドア端面と第２壁パネルの側縁との隙間の幅が、壁パネルの厚みよりも大きく形成されていることで、圧力変動が発生してしまうことを抑制することができる。尚、ここで言う「ドア端面と第２壁パネルの側縁との隙間の幅」とは、ドア枠が第２壁パネルの側縁に設けている場合には、ドア端面とドア枠の第２壁パネル側縁部分との隙間の幅を指す。
【００１３】
請求項２に係る発明は、請求項１において、前記押し当る部位には、前記ドア閉時における前記ドアと該ドア枠との密閉性を確保するためのパッキンが設けられていることを特徴とする。
【００１４】
ドア枠にパッキンが設けられていることで、部屋の密閉性を確保することができる。
【発明の効果】
【００１５】
本発明によれば、圧力変動が発生してしまうことを防止することができるバイオハザード対策室や再生医療設備などのエアタイト又はセミエアタイトなドアユニットを提供することができる。
【発明を実施するための最良の形態】
【００１６】
以下、添付図面に従って本発明に係るエアタイト又はセミエアタイトなドアユニットの好ましい実施の形態について詳説する。
【００１７】
図１は、本発明のドアユニット１０の概要図である。本発明のドアユニット１０は、バイオハザード対策室や再生医療設備などの部屋において出入口を形成する壁パネル１２ａ、１２ｂ間に設けられている。
【００１８】
ドアユニット１０は、主に、ドア１６とドア枠１８とからなる。ドア１６は、壁パネル１２ａの側縁に取り付けたヒンジ１４を介して回動することで出入口を開閉する。ドア枠１８は、壁パネル１２ｂの側縁に設けられており、ドア１６の閉時にドアが押し当る部位１８ａが形成されている。そして、本発明では、ドア閉時におけるドア端面１６ａと壁パネルの側縁との隙間の幅が、壁パネル１２ｂの厚みＤよりも大きくなるようにした。尚、「ドア端面と壁パネルの側縁との隙間の幅」とは、図１のようにドア枠１８が壁パネル１２ｂの側縁に設けられている場合には、ドア端面１６ａとドア枠１８との隙間の幅ｄを指す。また、ドア枠１８のドアが押し当る部位１８ａには、図１のように、ドア閉時においてドア１６とドア枠１８との密閉性を確保するためのパッキン２０が設けられていることが好ましい。
【００１９】
図２は、従来のドアユニットと本発明のドアユニットとを示した概要図である。図２（Ａ）は従来のドアユニットを、図２（Ｂ）は本発明のドアユニットを示しており、それぞれの上段はドアが閉まっているとき、下段はドアの開度が３〜５°程度の開閉が行われているときを示している。
【００２０】
図２（Ａ）から分かるように、ドア２端面と壁パネル４の側縁との隙間の幅が狭い従来のドアユニットでは、出入口を通過できる空気が少ない。一方、図２（Ｂ）から分かるように、ドア１６端面と壁パネル１２ｂの側縁との隙間の幅が壁パネルの厚みよりも大きい本発明のドアユニットでは、出入口を通過できる空気が多い
図３は、図２に示したドアユニットのドアの開度とドアの隙間を通過する空気の抵抗係数との関係を示したグラフである。
【００２１】
従来のドアユニットでは、ドアの開度が概ね０．５〜３°の範囲で、抵抗係数は比較的高い値で一定に保たれてしまう。一方、ドア端面と壁パネルの側縁との隙間の幅が壁パネルの厚みよりも大きい本発明のドアユニットでは、ドアの開度が０．５〜３°の範囲で抵抗係数は低下し、従来よりも低い値となっている。従って、本発明のドアユニットでは、圧力の急激な変化が抑制されていることが分かる。
【００２２】
図４は、図５の部屋に従来のドアユニットと本発明のドアユニットとを設けてドアの開閉を行った際の圧力変動を示すグラフである。図４（Ａ）は従来のドアユニットを、図４（Ｂ）は本発明のドアユニットを示しており、ドアを８秒の時点で開き、１９秒の時点で閉じた。また、ドアは、５秒の間でドアの回転角を０°から３０°まで開き、１秒置いて、５秒の間でドアの回転角を３０°から０°まで閉めた。
【００２３】
図４から分かるように、本発明のドアユニットは、従来のドアユニットと比べて最大圧力が低下している。
【００２４】
以上より、従来のドアユニットではドアの開閉の際に室圧の急激な変動が発生し、コンタミネーションの危険性があるが、本発明のドアユニットであれば、圧力変動が発生してしまうことを抑制することができるので、コンタミネーションの危険性が少ない。
【００２５】
従って、壁パネルの側縁に取り付けたヒンジを介して回動することで出入口を開閉するドアと、ヒンジが取り付けられていない壁パネルの側縁に設けられたドアの閉時に該ドアが押し当る部位があるドア枠と、から成るドアユニットにおいて、ドア閉時におけるドア端面と壁パネルの側縁との隙間の幅が壁パネルの厚みよりも大きく形成されていることで、部屋内の圧力変動が発生してしまうことを抑制することができることが分かる。
【００２６】
尚、本発明において、ドア端面１６ａとドア枠１８との隙間の幅ｄと、壁パネル１２ｂの厚みＤと、で表される（ｄ／Ｄ）が、ｄ／Ｄ＞１を満たせば良いが、好ましくは２≧（ｄ／Ｄ）＞１であり、より好ましくは１．５≧（ｄ／Ｄ）≧１．１である。
【図面の簡単な説明】
【００２７】
【図１】本発明のドアユニットを示す概要図
【図２】従来のドアユニットと本発明のドアユニットとを示す概要図
【図３】ドアの開度とドアの隙間を通過する空気の抵抗係数との関係を示した図
【図４】ドアの開閉を行った際の圧力変動を示す図
【図５】エアタイト又はセミエアタイトな部屋を示す概要図
【図６】従来のドアユニットにおいて、ドアの開度とドアの隙間を通過する空気の抵抗係数との関係を示した図
【符号の説明】
【００２８】
１…部屋、２…ドア、２ａ…ドア端面、３…ヒンジ、４…壁パネル、５…ドア枠、６…空気の押し込み、７…空気（の流出）、１０…ドアユニット、１２ａ…（第１）壁パネル、１２ｂ…（第２）壁パネル、１４…ヒンジ、１６…ドア、１６ａ…ドア端面、１８…ドア枠、１８ａ…押し当る部位、２０…パッキン、２２…空気、Ｄ…（第２）壁パネルの厚み、ｄ…ドア端面とドア枠との隙間の幅
【図１】
2010070981.tif 000003
【図２】
2010070981.tif 000004
【図３】
2010070981.tif 000005
【図４】
2010070981.tif 000006
【図５】
2010070981.tif 000007
【図６】
2010070981.tif 000008